(57)【特許請求の範囲】
【請求項１】
故人の前半身立体像を基部となる型取り部と一体に額縁内に収容した状態で屋内の壁面に飾り付け可能に構成した立体遺影額縁体の構造であって、
前記前半身立体像は、前方へ狭窄するテーパー面を周端に有する像本体基部となる型取り部の表面に故人の前半身である像本体を一体として備え、型取り部の裏面には故人の遺骨を収容可能な凹状の納骨部を備えると共に、型取り部と像本体とは輪切断面状とした硬化石膏の一体積層構造とし、
しかも前記額縁は、前記前半身立体像と一体の型取り部のはめ込み面に形成した前記テーパー面と相対する額テーパー面と、前記はめ込み面にはめ込まれた前記前半身立体像の像本体よりも前方に突出する縁枠と、同縁枠の前方開口に張設したガラスと、前記縁枠の前方開口部に形成した前半身立体像を収容する収容部と、同収容部の後方に設けた内枠と、内枠の後方で縁枠に開閉自在に設けた片開き状又は観音開き状の裏蓋とを備え、しかも前記内枠の内方空間部分には遺品収容部と、同内枠内底面に形成した位牌等を載置する祭壇と、遺骨を収容する凹部を備えた前記納骨部とを形成し、同凹部の内壁面には前記型取り部の前記積層構造を露出させていることを特徴とする立体遺影額縁体構造。
【請求項２】
前記納骨部の凹部には骨壺が備えられており、同骨壺の周壁には複数の孔が穿設されていることを特徴とする請求項１に記載の立体遺影額縁体構造。
【請求項３】
前記石膏にはガラス粉末及び酸化チタン粉末が混在していることを特徴とする請求項１又は請求項２に記載の立体遺影額縁体構造。
【請求項４】
前記積層構造を構成する石膏層のうち所定の層は、ウコン、ゼオライト、シリカゲル、活性炭、木炭、竹炭から選ばれる少なくともいずれか１つの環境適応手段を含む機能層であり、前記機能層は断面積層構造の一部として年輪状に現れた状態としたことを特徴とする請求項１〜３いずれか１項に記載の立体遺影額縁体構造。
【発明の詳細な説明】
【技術分野】
【０００１】
本発明は、故人の遺影を３Ｄプリンタにより、前半身の立体像とし納骨機能を保持した状態で額枠に飾る額縁構造に関する。
【背景技術】
【０００２】
従来、故人を模して形成した立体像中に納骨部を設けて、単なる分骨した仏壇にお参りするというむなしさを少しでも解消し、故人との親近的対面をはかるように工夫した技術は多々ある。
【０００３】
一般に故人の立体像としては、故人に似せた胸像であったり、人形的な全身像であったり、単なる顔部であったりし、納骨部分は立体像の一部に凹部を形成して納骨するものや、胸像の基台中に特に納骨構造を設けて納骨するもの等がある（例えば、特許文献１及び２参照）。
【０００４】
また、屋内に故人像を設置するする場合は、納められた骨からの臭気や骨の劣化等を防止するために芳香剤を用いたり、外気との遮断のための密封構造等の工夫が種々なされている。
【先行技術文献】
【特許文献】
【０００５】
【特許文献１】特開２００５−１３７８２０号公報
【特許文献２】特開２０１３−１９８７０９号公報
【発明の概要】
【発明が解決しようとする課題】
【０００６】
ところが、これら従来の納骨機能を保持した遺影の立体像においては、次のような各種の課題が発生する。
【０００７】
例えば、故人の立体像を作成する際には、デスマスク的な立体的遺品が残っていないのが通常の状況であるため、平面的写真を各種準備して、それらを統合して立体像を作成しなければならず、時間的、コスト的に不利となり、普及しない最大の要因の一つとなっている。
【０００８】
また、故人の立体像を設置する際に、比較的広い一定のスペースが必要となるため、周囲の故人と係わりのある人が、日常的にすぐにお参りできるような場所に設置することができない。従って、特別に仏壇のような設置空間を設定して、日常生活に常時触れ合える状況に立体像を設置するという手間を要した。
【０００９】
また、立体像の一部に納骨する構造とするため、納骨にともない屋内環境に適応可能な技術的工夫を納骨部に設ける必要があり、課題解決のためにコスト的に不利となる。
【００１０】
また、立体像の材質は塑像の技術的問題から樹脂や金属とする場合が多いため、製造する工程上粘土などでひな形を作成して塑造していくことになり煩雑で高価につく。
【課題を解決するための手段】
【００１１】
この発明は、故人の前半身立体像を基部となる型取り部と一体に額縁内に収容した状態で屋内の壁面に飾り付け可能に構成した立体遺影額縁体の構造であって、前記前半身立体像は、前方へ狭窄するテーパー面を周端に有する像本体基部となる型取り部の表面に故人の前半身である像本体を一体として備え、型取り部の裏面には故人の遺骨を収容可能な凹状の納骨部を備えると共に、型取り部と像本体とは輪切断面状とした硬化石膏の一体積層構造とし、しかも前記額縁は、前記前半身立体像と一体の型取り部のはめ込み面に形成した前記テーパー面と相対する額テーパー面と、前記はめ込み面にはめ込まれた前記前半身立体像の像本体よりも前方に突出する縁枠と、同縁枠の前方開口に張設したガラスと、前記縁枠の前方開口部に形成した前半身立体像を収容する収容部と、同収容部の後方に設けた内枠と、内枠の後方で縁枠に開閉自在に設けた片開き状又は観音開き状の裏蓋とを備え、しかも前記内枠の内方空間部分には遺品収容部と、同内枠内底面に形成した位牌等を載置する祭壇と、遺骨を収容する凹部を備えた前記納骨部とを形成し、同凹部の内壁面には前記型取り部の前記積層構造を提供するものである。
【００１２】
また、前記納骨部の凹部には骨壺が備えられており、同骨壺の周壁には複数の孔が穿設されていることにも特徴を有する。
【００１３】
また、前記石膏にはガラス粉末及び酸化チタン粉末が混在していることにも特徴を有する。
【００１４】
また、前記積層構造を構成する石膏層のうち所定の層は、ウコン、ゼオライト、シリカゲル、活性炭、木炭、竹炭から選ばれる少なくともいずれか１つの環境適応手段を含む機能層であり、前記機能層は断面積層構造の一部として年輪状に現れた状態としたことにも特徴を有する。
【発明の効果】
【００１８】
請求項１に係る発明によれば故人の前半身立体像を基部となる型取り部と一体に額縁内に収容した状態で屋内の壁面に飾り付け可能に構成した立体遺影額縁体の構造であって、前記前半身立体像は、前方へ狭窄するテーパー面を周端に有する像本体基部となる型取り部の表面に故人の前半身である像本体を一体として備え、型取り部の裏面には故人の遺骨を収容可能な凹状の納骨部を備えると共に、型取り部と像本体とは輪切断面状とした硬化石膏の一体積層構造とし、しかも前記額縁は、前記前半身立体像と一体の型取り部のはめ込み面に形成した前記テーパー面と相対する額テーパー面と、前記はめ込み面にはめ込まれた前記前半身立体像の像本体よりも前方に突出する縁枠と、同縁枠の前方開口に張設したガラスと、前記縁枠の前方開口部に形成した前半身立体像を収容する収容部と、同収容部の後方に設けた内枠と、内枠の後方で縁枠に開閉自在に設けた片開き状又は観音開き状の裏蓋とを備え、しかも前記内枠の内方空間部分には遺品収容部と、同内枠内底面に形成した位牌等を載置する祭壇と、遺骨を収容する凹部を備えた前記納骨部とを形成し、同凹部の内壁面には前記型取り部の前記積層構造を露出させて構成している。従って、室内の鴨居等に配置された従来型の遺影は室内の雰囲気を暗くする場合があったが、本発明に係る立体遺影額縁構造を備えることで、故人の遺影をインテリアの一つとして室内を飾ることができ、室内雰囲気を暗くすることなく、故人と共に暮らす日常生活を華やかに彩ることができる。
【００１９】
また、遺影額縁体は、絵画の如く壁掛け可能な額に納められた態様であるため、室内や屋内の壁面に飾り付けることができ、固定配置が必要な一般的な胸像や全身像ほどの設置スペースの確保を必要としない。
【００２０】
また、室内にインテリアの一種として壁掛けで配置することができるため、遺影額縁体に対して、その故人と係りのある人が日常的にお参りすることができる。しかも遺影額縁体には故人の遺骨が収容されているため、遺骨が収容されていない単なる遺影と比べて故人を偲ぶ行為がより親近的対面として行える。
【００２１】
ところで、遺骨は例え身近な故人のものといえど、常時直接的に目に触れる位置に配置されているのは必ずしも心情的に良いとはいえない。これに対し、本発明に係る立体遺影額縁構造によれば、納骨機能を備えながらも、故人の遺骨の一部が納められた納骨部が立体像表面に現われないため、納骨部を気にすること無く、しかも、表出している立体像に意識を集中させて、あたかも故人が現人であるかのごとく対話するようにお参りでき、遺骨の負の存在感を軽減する効果がある。
【００２２】
また、石膏にて形成された積層断面構造を納骨部内に露出させてもよく、石膏の臭気成分吸着効果と、露出させた年輪の如き積層断面構造に由来する臭気成分吸着効果との両者を相乗的に生起させることができ、遺骨からの臭気が納骨部より漏出することを防止できる。さらには、石膏材料を採用していることで、例えば樹脂や金属粉など３Ｄプリンタで一般的に用いられる石膏以外の造形用の材料を採用した場合に比して安い材料費で且つ短時間で作成することができ、しかも造形物に彫刻的質感を与えることで美術工芸的な装飾物としての審美的感覚を看者に与える効果がある。
【００２３】
また、前記立体像の周端は前方へ狭窄するテーパー面とすると共に、額縁の立体像はめ込み面も前記テーパー面に相対する額テーパー面とする構成にしたため、互いの各テーパー面を接合嵌着することにより前記立体像の方形状の型取り部分と前記額縁内周面とが密着接合しやくなり、前記立体像と前記額縁とを接合組立をする作業工程負担を軽減することができ、作業時間を短縮することができる。
【００２４】
また、前記納骨部は石膏素材の立体像裏面に凹状を形成し、その中に所定の環境適応手段を介して遺骨を収納してもよい。室内に飾るインテリアとして相応しい状態で遺骨を室内環境に適応させつつ、看者から納骨部が直接的に視認されることを防ぎ、しかも遺骨をしっかりと保持することができる。
【００２５】
また、前記環境適応手段としては、防臭、防湿、防劣化、防変色としてもよい。前記立体像に収納された遺骨の永年の保管による変質、変性、或いはこれらの変性に伴う臭気の発生を防止すると共に、故人の遺骨を変質させにくい安定した状態で保存し、室内環境に適応させつつ遺骨を大切に保持できる効果がある。
【００２６】
また、額縁裏面には、立体像を前方に押圧することにより、前記立体像の周端は前方へ狭窄するテーパー面と額テーパー面とが密着重合するように裏蓋の取付手段を設けたこととしてもよい。前記立体像の周端は前方へ狭窄するテーパー面と額テーパー面とがより確実に押圧密着され、地震などで額と立体像が不意に外れてしまうことを防止できる。しかも、額縁裏面に設けた納骨部の開口が裏蓋で覆われて密封されるため、納骨部に収めた故人の遺骨や骨壺が滑落し破損してしまうことを防止できる効果がある。
【００２７】
また、前記額縁には、定所壁面に飾り付けができるように壁面係合体を設けることとしてもよい。遺影額縁体の飾りつけ位置を変えたい場合は、飾りつけ場所を容易に移動することができる。例えば、西日が当たらない場所や湿気の無い場所へ移動し、遺影額縁体が置かれていた環境に由来する経時劣化を防止することも容易である。さらには、遺影額縁体となった故人に季節ごとの風景を見せるよう位置を移動するなど、遺族による故人を偲ぶ気持ちを遺影額縁体に反映し、屋内の相応しい環境に容易に移動して設置できる効果がある。
【図面の簡単な説明】
【００２８】
【図１】実施例１に係る遺影額縁体を示した説明図である。
【図２】実施例１に係る遺影額縁体の縦断面を示した説明図である。
【図３】実施例１に係る遺影額縁体を示した説明図である。
【図４】３Ｄプリンタの構成を示した説明図である。
【図５】額縁、前半身立体像、及び裏蓋の取り付け構造を示した分解斜視図である。
【図６】実施例１に係る遺影額縁体の裏面側を示した説明図である。
【図７】実施例１に係る遺影額縁体の縦断面を示した説明図である。
【図８】額縁、前半身立体像、及び裏蓋の取り付け構造を示した分解斜視図である。
【図９】納骨部の構造を示す説明図である。
【図１０】（ａ）は納骨部蓋体の立体斜視図である。（ｂ）は遺骨を収納した遺影額縁体の横断面図である。
【図１１】実施例２に係る遺影額縁体の裏面側を示した説明図である。
【図１２】実施例２に係る遺影額縁体を示した説明図である。
【図１３】実施例３に係るメモリアルオブジェを示した斜視図である。
【発明を実施するための形態】
【００２９】
この発明は、故人や亡くなった愛玩動物（以下、総称して「故人等」ともいう。）の平面写真から３Ｄプリンタにより成形した立体像を故人等の遺影を代替するオブジェとすると共に、立体像の裏面に納骨部を形成して、故人等の遺骨を収納可能に構成したメモリアルオブジェ構造を提供するものである。
【００３０】
例えば、本発明の一実施形態として故人に適用する場合は、故人の平面写真から３Ｄプリンタにより成形した前半身の立体像を故人の遺影として額縁に収納すると共に、立体像の裏面に納骨部を形成して、故人の遺骨を収納することにより遺影額縁体を構成し、遺影額縁体は屋内の壁面に飾りつけ可能に構成したことを特徴とする故人の立体遺影額縁構造を提供せんとするものであると言える。
【００３１】
また、本発明の一実施形態として亡くなった愛玩動物に適用する場合は、愛玩動物の平面写真から３Ｄプリンタにより成形した立体像を愛玩動物の遺影に代わるオブジェとすると共に、立体像に納骨部を形成して、愛玩動物の遺骨を収納することにより遺骨収容オブジェを構成し、遺骨収容オブジェは屋内に飾りつけ可能に構成したことを特徴とする愛玩動物のメモリアルオブジェ構造を提供せんとするものであるとも言える。
【００３２】
以下ではまず実施例１として、人である故人に適用した場合の立体遺影額縁構造について図面を参照しながら説明する。
【００３３】
〔実施例１〕
図１は本発明の立体遺影額縁構造を施した遺影額縁体Ａを示す全体図である。遺影額縁体Ａは、故人の前半身立体像１０を方形状に型決めして方形状の額縁１１に収納している。
【００３４】
また、図２に示すように、前半身立体像１０の裏面の一部に凹部１３を形成して納骨部１４を形成し、この納骨部１４中に遺骨１５を収納可能としている。以下これらの各構成を具体的に説明する。
【００３５】
前半身立体像１０は、故人の平面写真から３Ｄプリンタにより成形して前半身の立体像としており、全体を方形状の型決めにしている。
【００３６】
従って、図１に示すように、額縁１１に収容した状態では前面に故人の前半身が浮立した状態となり、あたかも故人の現実的な存在感を付与するような雰囲気をかもし出す。なお、必要によっては、故人の全身像であったり、顔のみであったり、胸像であったりしても良い。要は、遺影額縁体Ａがコンパクトに壁面に掛止できるように前半身としたことにある。前半身の浮立割合はわずかな凹凸立体ではなく、前半身の肉厚を大きく施したもであっても良い。
【００３７】
また、図１に示す遺影額縁体Ａは、前半身立体像１０の浮立した像本体が額縁１１の縁枠前面よりも前方に突出する態様（図２参照）としてるが、前半身立体像１０に装着可能であれば額縁１１の形状や構造は特に限定されることはない。例えば図３に示すように、浮立した像本体よりも額縁１１の縁枠を前方に突出させて像本体ごと収容可能に形成し、縁枠内方の開口に配設したガラス１９越しに視認できるよう構成しても良い。このように構成することで、前半身立体像１０は密閉空間に収納されることとなり、室内空間に浮遊している異物や埃が前半身立体像１０の表面に付着してしまうことや不意の汚損など、経時的劣化を防止することができる。従って、遺影額縁体Ａのインテリアとしての気品を長年に亘り保ちつつ飾り付けることができる。
【００３８】
また、前半身立体像１０の寸法は、遺骨１５や遺骨１５を納めた骨壺１６の収容空間が確保できれば特に限定されるものではないが、本実施例１においては平面視で約Ａ４サイズ（幅２１０ｍｍ、高さ２９０ｍｍ）に納まる寸法で構成している。従って、故人の特徴を表現するのに必要な造形領域を十分に確保することができる。
【００３９】
また、例えば一般家屋などでは、絵画等を掲示できる壁面領域が限られている場合があるが、そのような場合であっても上述程度のサイズであれば遺影額縁体Ａの設置スペースを容易に確保することができ、家屋内にて比較的自由に遺影額縁体Ａを掛けることができる。
【００４０】
また、遺影額縁体Ａの厚さは９０ｍｍ±２０ｍｍ程度で構成するのが望ましい。このような厚みとすれば、遺骨１５や骨壺１６を収容できる程度の十分な容積を備えた納骨部１４を形成することができる。
【００４１】
このような前半身立体像１０は、３Ｄプリンタの技術を応用して平面写真より立体像形成のための設計データを作成し、この設計データを基にして石膏粉末より石膏像を作成する。
【００４２】
具体的には、３Ｄプリンタ技術による造形処理工程は一般的に以下の手順によって行われる。
【００４３】
まず、故人を捉えた平面写真等のスキャニングを行う。スキャンする対象は、写真や図案のように平面的なものであっても良く、また、ひな形や見本のように立体的なものであっても良い。
【００４４】
専用のスキャナーでコンピュータに取り込まれたスキャンデータは、３ＤＣＡＤ等の専用ソフトで立体的造形のために適宜編集修正しつつ情報加工処理を施し、これを設計データとする。具体的には、平面写真から取り込んだ２次元のスキャンデータに厚みや奥行を付与して３次元データ化し、さらに３Ｄプリンタへ出力するためのデータに変換して造形物の設計データを生成する。
【００４５】
このようにして生成された設計データは、３Ｄプリンタに供することで造形作業が実行される。３Ｄプリンタにおける造形の方式としては、光学造形方式や、熱溶解積層法、粉末焼結積層造形法等あるが、造形材料として石膏粉末を用いる場合には、石膏３Ｄプリンタを用いた積層造形法が好適である。
【００４６】
図４に示すように、この石膏３Ｄプリンタ２０では、石膏粉末２１をプリンタステージ２２上に平らに広げ、そこへ設計データに基づいてプリンタヘッド２３より水を主成分とする所定の溶液を造形する完成品の輪切断面状に塗布し、その上に石膏粉末２１を吹付け硬化させる。
【００４７】
この塗布と吹き付けの作業を設計データに沿って繰り返し行い、輪切断面状の硬化石膏を積層していくことで完成した造形物を得る。その後、造形物の隙間等に入り込んだ石膏粉末をエアーブロー等で吹き飛ばして除去し、造形物の面強度を上げるために造形物表面にワックス等の保護剤を含浸コーティングすることで目的とする立体像、本実施例１においては前半身立体像１０が得られることとなる。
【００４８】
ここで本実施例１において重要なことは、前半身立体像１０の形成材料に石膏粉末２１を用いたことである。すなわち、石膏とは、硫酸カルシウム（ＣａＳＯ4）を主成分とする鉱物であって、特に硫酸カルシウム０．５水和物（ＣａＳＯ４・０．５Ｈ２Ｏ）を主成分とし、水分を吸収することで硫酸カルシウム２水和物（ＣａＳＯ４・２Ｈ２Ｏ）に変化するものを言う。
【００４９】
このように前半身立体像１０の材料として石膏を用いた理由としては、石膏粉末成分としての硫酸カルシウム０．５水和物が水分を吸収して固化した際に形成される特有の微細で多孔質な構造により、防臭、防湿効果を奏することにあり、前半身立体像１０の裏面に納骨部１４を形成したことに関連する。
【００５０】
なお、前半身立体像１０の材料としては、石膏以外に、プラスチックスや樹脂や金属や陶器、木材等を用いることも可能であるが、３Ｄプリンタによる立体成形技術の面より見ると、石膏や樹脂が良好と思われる。
【００５１】
また、図２及び図５に示すように、方形状に形成した前半身立体像１０の周縁は、額縁１１に適宜に収容されて固定化されるように前方狭窄状のテーパー面３０を形成している。
【００５２】
また、図２に示すように、額縁１１の内周縁も同じく、このテーパー面３０に対応した額テーパー面３１としており、互いの各テーパー面３０、３１を接触状態に嵌着することで前半身立体像１０の方形状の型取り部分である型取部３２と額縁１１内周面とが密着状に接合状態となる。
【００５３】
ただし、前半身立体像１０の周縁と額縁１１の内周縁との嵌着態様は必ずしも上記各テーパー面３０、３１のような構造に限定されるものではなく、前半身立体像１０と額縁１１とは、前半身立体像１０に取付けた際に、それぞれが密着して接合状態可能であれば良い。例えば、嵌着凹部とこれに対応する凸部を前半身立体像１０の周縁と額縁１１の内周縁とに形成しても良いし、前半身立体像１０の型取部３２の上方に凹部を形成し、額縁１１の内周面上方に対応する凸部を形成して、嵌着係合しても良い。
【００５４】
また、前半身立体像１０の裏面１７は基本的に平坦面としており、裏面１７に対して図６（ａ）に示す如く裏蓋１８を当接させることで前半身立体像１０の裏面１７を押圧可能とするように構成している。すなわち、裏蓋１８の周縁は立体像の周縁形状と略同一に形成し、額縁１１の裏側面の所定位置には、裏蓋１８を固定するための留め片１１ａの基端を枢支している。
【００５５】
ここで、テーパー面３０と額テーパー面３１との接合に関し更なる一例を図３、図７及び図８を用いて説明する。図８に示すように、この例では、額縁１１の裏面に、前半身立体像１０を収容可能とした方形状の収容部１１ｄを突出形成している。
【００５６】
また、収容部１１ｄに収容された前半身立体像１０は、図７に示すように、同前半身立体像１０の周縁に形成されたテーパー面３０が、額縁１１の内周縁に形成された額テーパー面３１と密着するよう構成している。
【００５７】
特に、本例では、この各テーパー面３０、３１を密着させるにあたり、裏蓋１８の閉蓋による押圧力を収容部１１ｄの内周に沿って嵌着可能に形成した内枠１１ｂを介して前半身立体像１０の裏面１７に間接的に伝達するよう構成している。なお、内枠１１ｂは、収容部１１ｄにぴったりと収まる外形状としており、内枠１１ｂと収容部１１ｄとの間には、裏蓋１８を開放した状態で額縁１１を裏面側に傾けた場合であっても、内枠１１ｂの自重によって収容部１１ｄから離脱しない程度の摩擦力が働くようにしている。
【００５８】
また、図８に示すように、裏蓋１８は、収容部１１ｄの周縁形状と略同一の周縁形状とした板体１８ａを収容部１１ｄの開口の上辺部分に揺動可能な状態で枢支して形成しており、板体１８ａによって収容部１１ｄの開口を閉蓋可能としている。すなわち、裏蓋１８は、板体１８ａの上辺と収容部１１ｄの周縁の上部位置とをヒンジ１１ｃにより連結して開閉自在としている。また、板体１８ａの下辺には留め片１１ａを設けて裏蓋１８の自由端側を収容部１１ｄの縁部に係止可能としている。
【００５９】
そして、本例の如き構成によっても、テーパー面３０と額テーパー面３１とを密着させることができる。
【００６０】
図６（ｂ）は、図６（ａ）に示す遺影額縁体Ａにおいて裏蓋１８を外した状態を示している。図６（ｂ）に示すように、裏蓋１８を外すと露出する前半身立体像１０の裏面には、納骨部１４を構成する納骨部蓋体４０がボルト４５によって係止されている。なお、この納骨部蓋体４０には、納骨部１４内に収容する骨壺１６を安定的に保持するための構造が形成されており、この構成については追って具体的に説明する。
【００６１】
図２に示すように、前半身立体像１０の裏面には凹部１３を形成して納骨部１４としている。すなわち、石膏素材で形成された立体像の裏側に納骨部１４を形成して、ここに故人の遺骨１５を収納しておく。
【００６２】
納骨部１４は、凹部１３と、この凹部１３を閉蓋密封するための納骨部蓋体４０とで構成している。なお、納骨部１４は必ずしも納骨部蓋体４０を要せず、凹部１３のみで納骨部１４としても良い。
【００６３】
納骨部１４の奥行きは、特に限定されるものではないが、納骨部１４の奥の壁面から前半身立体像１０の表面までの厚みが、少なくとも８ｍｍ以上、より好ましくは１０ｍｍ以上確保できる長さとしていれば良い。このような構成にすることにより、納骨部１４に対応する像表面部分の強度が保持できる。
【００６４】
なお、本実施例では前半身立体像１０の裏面を表面側にへこませて凹部１３を形成して納骨部１４を設けているがこれに限定されるものではない。例えば、図７及び図８に示す如く前半身立体像１０の平坦な裏面に別途箱状の納骨部１４を突設し、その内部空間を凹部１３としても良い。
【００６５】
このような構成とすれば、遺影額縁体Ａの裏面側には、収容部１１ｄのうち納骨部１４以外の空間、すなわち内枠１１ｂ内周面と裏面１７と納骨部１４外周面とにより囲まれた空間部分を遺品収容部１２とすることができる。この遺品収容部１２は、故人の遺品や位牌などの故人に所縁のあるものを安置する部位として利用することができる。
【００６６】
このようにして形成した凹部１３は、前述の通りその内壁面が石膏にて形成されている。この石膏で形成された凹部１３の内壁面は、防臭、防湿効果を奏する環境適応手段として機能し、遺骨１５より発生する臭気や遺骨１５の吸湿を防止することで、遺影額縁体Ａを室内環境に適応させることができる。なお、石膏３Ｄプリンタ２０にて前半身立体像１０を形成した後、その表面を所定の表面処理剤で処理する場合には、凹部１３の内壁の一部に限っては処理せずに石膏素材そのものを露出させるようにしても良い。このような露出部分を形成しておくことにより、石膏素材にて形成された凹部１３の内壁を環境適応手段として有効に機能させることができる。
【００６７】
また、環境適応手段は、前半身立体像１０を構成する石膏に限定されるものではなく、その他の機能性材料を環境適応手段として用いても良い。例えば、凹状に形成した納骨部１４の内壁表面の一部に、ウコン粉末やゼオライトを付着させるようにしても良い。
【００６８】
例えばウコンを吹き付けたり塗着することで、納骨部１４内に防虫効果を生起させることができる。また、ゼオライトを用いた場合には、湿度調節機能を生起させることができる。
【００６９】
また、環境適応手段として用いるウコン粉末やゼオライトは、前半身立体像１０の形成材料としての石膏粉末２１にあらかじめ混在させるようにしても良い。この混在量は、ウコン粉末やゼオライトによる環境適応手段としての効果が発揮できる程度の量で、且つ、前半身立体像１０の強度を損なわない程度の量であれば良い。
【００７０】
また、環境適応手段は、石膏３Ｄプリンタ２０のプリンタヘッド２３から吹き付けられる溶液中に溶解又は分散させるようにしても良い。
【００７１】
例えばウコン粉末は黄色系の色調を有していることから、前半身立体像１０にて表現される色彩の一部として利用しつつ、防虫効果を発揮させることができる。また、このように溶液中に環境適応手段を溶解又は分散させた場合には、環境適応手段によって所定の効果が発揮される機能層が他の石膏層と共に前半身立体像１０に形成されることとなる。このような機能層は、年輪状に現れる断面積層構造の一部として形成してもよく、また、表面から深部へ１〜数層を機能層として形成しても良い。
【００７２】
また、更なる環境適応手段の例として、例えばガラス粉末や酸化チタン粉末を挙げることができる。納骨部１４や骨壺１６内に収容した遺骨１５には、しばしばカビが発生してしまうことがあるが、このカビの胞子が密閉された納骨部１４の内部空間に拡散すると、石膏にて形成された内壁には僅かながらも水分が存在しているため、カビが繁殖してしまうおそれがある。そこで、ガラス粉末を石膏粉末２１に予め混在させたり、納骨部１４の内壁表面に付着保持させておくことにより、カビ胞子への水分の供給を抑制することができ、納骨部１４の内壁におけるカビの繁殖を防止する環境適応手段としての機能を発揮させることができる。
【００７３】
また、ガラス粉末は、石膏粉末２１に混在させたり、納骨部１４の内壁表面に付着保持させておくことにより、光の散乱によって前半身立体像１０の表面や納骨部１４の内壁に瞬くような光沢を生起させることができ、裏蓋１８を取り外して遺骨１５を納めるときや取り出すときに、遺骨１５を保持する空間である納骨部１４を美しく演出することができる。
【００７４】
また、酸化チタン粉末は、ガラス粉末と同様に石膏粉末２１に混在させたり、納骨部１４の内壁表面に付着保持させておくことにより、裏蓋１８を開蓋した際に進入する光によって触媒効果を発揮して、カビなどの微生物を殺滅したり、納骨部１４内の臭気や有機的な汚れを分解することができるため、防臭・防汚などの環境適応手段として機能させることができる。
【００７５】
特に、前述のガラス粉末と共に酸化チタン粉末を石膏粉末２１に混在させたり、納骨部１４の内壁に付着保持させておけば、上述の効果に加え、ガラス粉末が納骨部１４内壁の表面のみならず内壁表面から極浅い内部にまで進入した光を導いて、内壁内部に存在する酸化チタンをも励起させることができるため、納骨部１４内の自浄効果を更に高めることができる。
【００７６】
また、その他環境適応手段としては、シリカゲルや活性炭、木炭や竹炭などの吸湿性・吸着性を有する多孔質素材を好適に用いることができる。これらの多孔質素材は、納骨部１４にそのまま、又は透孔を有する袋等に収容した状態で凹部１３に遺骨１５と共に収容しても良い。このような構成とすることにより、繁殖したカビ等に由来する遺骨１５の劣化や変色を防ぐ、すなわち、防劣化・防変色できる環境適応手段として機能させることができる。
【００７７】
納骨部１４の構成の説明に戻り、図２にて示したように前半身立体像１０の裏面を表面側にへこませて凹部１３を形成して遺骨１５を安置した場合には、この遺骨１５を故人の前半身立体像１０中に一体に収納して、前半身立体像１０と遺骨１５とが一体のものとなるところに本発明の故人の立体遺影額縁構造の意義がある。このように単なる故人の遺影を立体的に感じて故人をあたかも現人のようにしのぶ儀式の中に故人の遺骨の一部が分骨という手段で収められていることにより、更に故人への敬意の念が一段と高まることになる。
【００７８】
分骨を収納する納骨部１４には、その納骨部１４の空間そのものを骨壺とみなすように壺状に形成し、分骨の特徴的な喉仏部分の骨が収納されるように構成しておく場合や、予め小さな骨壺中に分骨を収納して納骨部１４中に入れておく場合や、特別に形成した骨壺ケース中に分骨を収納して納骨部１４中に入れておく場合等種々の形態が考えられる。
【００７９】
納骨部１４に骨壺１６を収納する場合には、骨壺１６を収納後に納骨部１４を密閉空間とすべく納骨部蓋体４０を嵌着可能に形成して設ける。すなわち、前半身立体像１０の裏面に凹状に形成された納骨部１４の開口周縁と対応するように略同形状とした納骨部蓋体４０を形成する（図６（ｂ）参照。）。
【００８０】
また、本実施例では、納骨部１４の開口に納骨部蓋体４０を装着することで、納骨部１４内の内壁形状と納骨部蓋体４０の形状とが相俟って骨壺１６と嵌合するように骨壺１６の収容空間が形成されるようにしている。
【００８１】
具体的には、図９及び図１０に示すように、納骨部蓋体４０の納骨部１４側となる面はやや隆起状に形成して隆起部とし、この隆起部には収納される骨壺１６周面の略半部を覆う蓋側半嵌着凹部４１を形成している（図１０（ａ）参照）。また、蓋側半嵌着凹部４１と対応するように、納骨部１４内の内壁にはもう一方の骨壺１６周面の略半部を覆う凹状の本体側半嵌着凹部４２を形成している（図９参照）。従って、納骨部１４を納骨部蓋体４０で閉蓋すると、図１０（ｂ）に示すように、納骨部蓋体４０に半骨壺状に設けた蓋側半嵌着凹部４１と、納骨部１４内壁に形成した本体側半嵌着凹部４２とが合わさって、骨壺１６に沿った骨壺収容空間が形成されることとなり、骨壺１６を前半身立体像１０の内部に確実に固定収納することが可能となる。
【００８２】
また、納骨部蓋体４０には同納骨部蓋体４０を凹部１３に係止する係止手段として、ゴムパッキン４３を用いている。具体的には、突出形成した納骨部蓋体４０の蓋側半嵌着凹部４１の周面全周に溝を形成してゴムパッキン４３を嵌着する一方、閉蓋した際に同ゴムパッキン４３と対応する凹部１３の内周面位置に溝を形成して係止手段を構成しており、ゴムパッキン４３が凹部１３の凹状溝に嵌ることで納骨部蓋体４０が納骨部１４から不意に脱落することを防止可能としている。さらに、納骨部蓋体４０と凹部１３との所定位置にボルト孔４４を設け、閉蓋してボルト孔４４にボルト４５を挿通し、納骨部１４の所定位置に埋設したナット４６（図２参照）と螺合することにより、納骨部蓋体４０を納骨部１４へ固定して閉蓋状態を堅実にしてもよい。
【００８３】
いづれの形態においても、納骨部１４は石膏素材で形成されており、石膏素材が納骨部１４の内周壁を形成していることから、分骨に際しては、常に石膏素材の組成的特徴が機能するように構成されているということである。
【００８４】
従って、骨壺１６や骨壺ケースを用いる場合においては、納骨部１４内の周囲の空気を介して石膏の組成が有効に機能するように周壁に多孔を穿設しておくことが必要となる。
【００８５】
このように構成することにより分骨より発生する臭気を抑制し、防湿を行い、変色を防ぎ、永遠に分骨と共に立体像を身近に飾っておくことが可能となる。
【００８６】
また、必要に応じて環境適応手段として変性を防ぐために予め骨変性防止用の有機又は無機の化学物質の素材、例えば有機成分であれば臭気成分を包接可能な環状分子構造を有する物質であったり、また無機成分であれば常温にて臭気成分を酸化する触媒機能を発揮可能な物質を布（不織布等）に含浸させて袋を形成し、これらの袋中に分骨を収容して袋をそのまま、或いは骨壺や骨壺ケース中に収納しておくことも可能である。
【００８７】
特に、環境適応手段の例示として上記の有機又は無機の化学物質は石膏の主成分たる硫酸カルシウム（ＣａＳＯ４）と相乗的に作用して分骨に対して一定の機能を果たすものを用いる。例えばカビなどの微生物に対する殺菌効果や抗菌効果のような機能を果し、納骨部１４に収納した分骨を常に長期間有効に環境汚染することなしに保存し、故人への敬意を常時払うことのできる環境を形成することができる。
【００８８】
額縁１１の所定位置には、屋内の壁面に係止吊下にすることの可能な壁面係合体を設けている。この壁面係合体は、特に限定されるものではないが、本実施例では図６（ａ）に示したように、吊下用紐体５０を係合するためのフック５１を額縁１１裏側に設けて吊下用紐体５０を介して壁面のフック５１に係止するように構成している。
【００８９】
このように、本発明では、故人の前半身立体像と分骨した遺骨とを一体として額縁に収納して常に壁面に係止して飾ることにより、故人をしのぶ機会を日常的環境に置くことができる。
【００９０】
〔実施例２〕
次に、実施例２として、遺影額縁体Ｂの納骨部を祭壇の如く機能するように構成した遺影額縁構造について図１１及び図１２を参照しながら説明する。
【００９１】
図１１、及び図１２は本実施例２に係る遺影額縁構造を備えた遺影額縁体Ｂの背面側を示した説明図である。なお、上述した実施例と同様の構成については同じ符号を付して説明を省略する。
【００９２】
本実施例２に係る遺影額縁体Ｂにおいて裏蓋１８は、収容部１１ｄの開口の左右略半部ずつを閉蓋する板体１８ａ及び１８ｂとを備え、左右一対の観音開き状としている。
【００９３】
また、板体１８ａの長辺略中央部には開蓋に際して指を引掛ける部分となる半円状の切欠部１１ｆを形成し、これに対応するように他方の板体１８ｂの長辺略中央部には回転式の留め片１１ａを設けて、板体１８ａ及び１８ｂを閉蓋状態で係止可能に構成している。
【００９４】
図１２は、裏蓋１８を開放した状態を示している。図１２に示すように、遺影額縁体Ｂにおける納骨部１４は、凹部１３と納骨部蓋体４０とで構成しており、凹部１３の開口内側周縁には凹状部１３ａを形成し、納骨部蓋体４０の内側周縁には凹部１３に嵌着可能な凸状部４０ａを形成している。凹状部１３ａと凸状部４０ａのそれぞれの高さは、少なくとも１ｃｍ以上に形成することが好ましい。なお、本実施例２では凹状部１３ａ及び凸状部４０ａの各々の高さを略１ｃｍに形成している。
【００９５】
このような構成とすれば、納骨部蓋体４０で凹部１３の開口を閉蓋した場合には、閉蓋状態における凹部１３と納骨部蓋体４０との嵌着面を可及的に大とし、遺影額縁体Ｂが不意に傾いたり横倒しとなった際に、納骨部蓋体４０が凹部１３から外れることがなく、収容した骨壺１６が納骨部１４から脱落して破損したり骨壺１６の遺灰がこぼれ出したりするなどの汚損を防止できる。
【００９６】
また、本実施例２に係る遺影額縁体Ｂは、平坦面に置いた際に自立可能とすべく収容部１１ｄ底面の所望の位置には支持台７０を設けている。このような構成により、遺影額縁体Ｂは、正面側に前半身立体像１０を表出させたままで安定して自立し、床や棚などの平坦面に置いて飾り付けが可能となる。さらには季節ごとに定期的に行われる儀式や祭時には、遺影額縁体Ｂは、床や棚の平坦面に置いた状態で裏面側の裏蓋１８を開蓋して納骨部１４や遺品収容部１２に収納した位牌や遺品などを表出させて、仏壇の如き祭壇としての機能を備えることができる。なお、本実施例２において裏蓋１８は観音開き状としたがこれに限定されるものではなく、例えば片開き状に形成しても良い。
【００９７】
〔実施例３〕
次に、実施例３として、亡くなった愛玩動物に適用した場合のメモリアルオブジェ構造について図面を参照しながら説明する。
【００９８】
本実施例３では、愛玩動物の遺影を３Ｄプリンタにより、立体像とし納骨機能を保持した状態で飾るメモリアルオブジェの構造に関するものである。図１３は本実施例３に係るメモリアルオブジェ構造を備えたメモリアルオブジェＣの全体図である。
【００９９】
愛玩動物の全身立体像６０は、前述の実施例１や実施例２と同様に、３Ｄプリンタにより愛玩動物の平面写真から全身の立体像を形成しており、その大きさはＡ４サイズの設置スペースに収まるサイズとしている。
【０１００】
また、愛玩動物を造形化したメモリアルオブジェＣには、全身立体像６０の腹部にあたる設置台６１の底面側に凹部１３を形成して納骨部１４を形成している。なお、本実施例３において納骨部１４は設置台６１の底面側に形成したが、これに限定されるものではなく、全身立体像６０のデザイン等を勘案し、全身立体像６０の表面の所望の位置に凹部１３を形成して納骨部１４を設けることができる。
【０１０１】
また、メモリアルオブジェＣは、前述の石膏３Ｄプリンタ２０により全身立体像６０と平坦板状の設置台６１とを一体的に形成しており、室内の床面や棚などの略水平面を有する場所にインテリアとして配置し、室内を装飾可能としている。また、平坦板状に構成した設置台６１は面積を可及的に大として、メモリアルオブジェＣが不意に倒れて破損するのを防止する役割を有する。
【０１０２】
そして、本実施例３に係るメモリアルオブジェＣによれば、愛玩動物の平面写真から３Ｄプリンタにより成形した愛玩動物の全身立体像６０に納骨部１４を形成して、愛玩動物の遺骨を収納することによりメモリアルオブジェＣを構成し、メモリアルオブジェＣは屋内に設置可能に構成したことを特徴とする愛玩動物のメモリアルオブジェ構造としており、愛玩動物の全身が表わされた状態となって、メモリアルオブジェＣは、生前の愛玩動物の懐いてくる愛らしいしぐさや表情と共に、あたかも傍らに寄り添うような存在感をかもし出すこととなる。
【０１０３】
なお、本実施例３では、伏せた状態の犬の立体像を全身立体像６０とした例を説明したが、全身立体像６０の姿勢は特に限定されるものではなく、例えば散歩中の状態を模した立脚像や、お座りの状態を模した座像であっても良い。また、全身立体像６０のモチーフは犬に限定されるものでもない。
【０１０４】
最後に、上述した各実施の形態の説明は本発明の一例であり、本発明は上述の実施の形態に限定されず、本発明に係る技術的思想を逸脱しない範囲であれば、設計等に応じて種々の変更が可能であることは勿論である。
【符号の説明】
【０１０５】
Ａ  遺影額縁体
Ｂ  遺影額縁体
Ｃ  メモリアルオブジェ
１０  前半身立体像
１１  額縁
１３  凹部
１４  納骨部
１７  裏面
１８  裏蓋
２０  石膏３Ｄプリンタ
４０  蓋体
【要約】      （修正有）【課題】納骨機能を備えながらも、故人の遺骨の一部が納められた納骨部が立体像表面に現われないため、納骨部を気にすること無く、しかも、表出している立体像に意識を集中させて、あたかも故人が現人であるかのごとく対話するようにお参りでき、遺骨の負の存在感を軽減する遺影額縁構造を提供する。【解決手段】故人の平面写真から３Ｄプリンタにより成形した前半身の立体像１０を故人の遺影として額縁１１に収納すると共に、立体像の裏面に納骨部を形成して、故人の遺骨を収納することにより遺影額縁体を構成し、遺影額縁体は屋内の壁面に飾りつけ可能に構成してなる。【選択図】図１【図１】
0005905981.tif 000002
【図２】
0005905981.tif 000003
【図３】
0005905981.tif 000004
【図４】
0005905981.tif 000005
【図５】
0005905981.tif 000006
【図６】
0005905981.tif 000007
【図７】
0005905981.tif 000008
【図８】
0005905981.tif 000009
【図９】
0005905981.tif 000010
【図１０】
0005905981.tif 000011
【図１１】
0005905981.tif 000012
【図１２】
0005905981.tif 000013
【図１３】
0005905981.tif 000014